(57)【特許請求の範囲】
【請求項１】
アラームの表示形態が異なる複数のフィールド機器が接続されたフィールドバスを介して前記フィールド機器と通信し、夫々からのアラーム情報を収集して一括表示する外部指示計において、
前記フィールド機器に順次アクセスしてアラーム情報を収集するアラーム情報収集手段と、
前記複数フィールド機器のアラーム情報のデータ形式及びそのデータ形式に対する統一アラーム表示情報を保持する機器アラームデータベースと、
収集されたアラーム情報のデータ形式と前記機器アラームデータベースに保持されたデータ形式の一致を照合するアラーム照合手段と、
一致が照合されたアラームに対して統一アラーム表示情報を前記機器アラームデータベースより読み出して表示させる表示内容決定手段と、
を備え、
前記機器アラームデータベースは、前記統一アラーム表示情報として、上位概念の第１ラベル表示内容と、下位概念の第２ラベル表示内容を保持し、前記第１ラベル表示内容は、国際的ガイドライン推奨の表示に準拠する表示内容であり、前記第２ラベル表示内容は、ユーザー任意設定の表示内容であることを特徴とする外部指示計。
【請求項２】
前記第１ラベル表示内容の国際的ガイドライン推奨は、ＮＡＭＵＲ推奨の表示に準拠する表示内容であり、Ｆａｉｌｕｒｅ、ｆｕｎｃｔｉｏｎ  ｃｈｅｃｋ、Ｏｕｔ  ｏｆ  ｓｐｅｃｉｆｉｃａｔｉｏｎ、及びＭａｉｎｔｅｎａｎｃｅ  ｒｅｑｕｉｒｅｄのカテゴリーによる表示を推奨する、ことを特徴とする請求項１に記載の外部指示計。
【請求項３】
前記フィールドバスに接続され、前記フィールド機器に対する演算パラメータをダウンロードして支援する機器管理ツール内に、前記機器アラームデータベースに対するメンテナンス機能を設けたことを特徴とする請求項１または２に記載の外部指示計。
【請求項４】
前記機器管理ツールは、前記機器アラームデータベースの保持情報をアップロードして管理することを特徴とする請求項３に記載の外部指示計。
【請求項５】
前記フィールド機器は、フィールドバス規格に準拠する機器であることを特徴とする請求項１乃至４のいずれかに記載の外部指示計。
【発明の詳細な説明】
【技術分野】
【０００１】
本発明は、アラームの表示形態が異なる複数のフィールド機器が接続されたフィールドバスを介して前記フィールド機器と通信し、夫々からのアラーム情報を収集して一括表示する外部指示計に関するものである。
【背景技術】
【０００２】
図５は、従来の外部指示計によるアラーム表示形態を説明する機能ブロック図である。プロセス流体Ｆが流れる配管１０には、複数のフィールド機器２１乃至２４取り付けられている。
【０００３】
これらフィールド機器は、デジタル通信機能を備え、フィールドバス３０又はゲートウィ（図示せず）を介して上位機器であるホスト４０、機器管理ツール５０、外部指示計６０と通信し、プロセスの測定データやプロセスで発生するアラーム情報を送信する。
【０００４】
フィールド機器２１（PT100）、２２（PT200）は差圧・圧力伝送器であって、配管１０に取り付けられたオリフィスプレートで発生する差圧を測定するフィールド機器である。フィールド機器２３（TT200）は、熱電対によってプロセス流体の温度を測定するフィールド機器であり、これらはフィールドバス３０を介して測定データやアラーム情報を上位機器に送信する。
【０００５】
フィールド機器２４（PT400）は、例えば無線式等のバッテリ駆動の差圧伝送器であって、ゲートウェイ(図示せず)を経由して、測定データやアラーム情報を上位機器に送信する。
【０００６】
フィールド機器２１乃至２４は、夫々ＬＣＤ等から構成される内部指示計を内蔵し、作業員は測定値や、機器の有する自己診断機能によって診断される機器の故障情報や、プロセス異常等を示すメッセージ、あるいはバッテリの残存量等を読見取ることができる。
【０００７】
フィールドバス３０は、例えばFoundation FieldbusやPROFIBUS等のデジタル伝送路や、BRAIN/HART通信等、デジタル信号を冗長した4-20mAのアナログ伝送路や、または工業用無線伝送路の経路により構成される。
【０００８】
ホスト４０は、分散型制御システムやＰＬＣ等の上位の制御装置であって、フィールドバス３０を介してフィールド機器２１、２２、２３等からプロセス値を受け取り、バルブ等制御機器(図示せず)へ操作量を送信しプロセス制御を行う。
【０００９】
ホスト４０は、また、フィールドバス３０を介してフィールド機器２１、２２、２３等からから送られるフィールド機器の故障情報やプロセスの異常状態をモニターし、記録する機能を有する。あるいは、無線のゲートウェイを介して送られてくるフィールド機器２４の故障状態を見ることができる。
【００１０】
機器管理ツール５０は、例えば、BRAIN TERMINAL等のハンドヘルドターミナルや、 FDT/DTM技術を利用したFieldMate等の機器管理用のツールを搭載した現場形のＰＣで構成されている。
【００１１】
ユーザーは、機器管理ツール５０によって、フィールド機器２１乃至２４の、例えば、PT100, PT200,TT200,PT400等のＴＡＧナンバーや、測定範囲や測定単位等を設定／確認できる。
【００１２】
また、機器管理ツール５０は、フィールド機器２１乃至２４の夫々が有する自己診断機能によって診断される、機器の故障状態や、プロセス異常状態を示す情報を表示することができる。
【００１３】
機器管理ツール５０には、Foundation Fieldbus, PROFIBUS, HART通信等夫々の通信規格で定められたＤＤ(Device Description)が格納されている。ＤＤは、機器の種類毎に用意され、機器が有するパラメータ／コマンドの番号や、機器が送信するデジタル情報とそれに対応した異常状態を表す文字列等との対応が書かれている、数千〜数万行からなるファイルである。
【００１４】
ＤＤは一般的に、バイナリファイル等のプログラムの形態としてメーカーから配布乃至は機器管理ツール５にインストールされる。ユーザーは、ＤＤの内容を変更することができない。
【００１５】
外部指示計６０は、現場型の指示計であり、フィールドバス３０上のデジタル信号を受け取り、フィールド機器２１乃至２４のいずれか一つ乃至複数の機器の測定値及びアラーム情報を表示するものであり、フィールド機器２１乃至２４が、作業員のアクセスしにくい、例えば高所や危険雰囲気中に存在する場合に、フィールド機器２１乃至２４の表示をアクセスしやすい場所で読み取るために設置される。
【００１６】
外部指示計６０により、作業員は比較的安全な場所で、かつ複数の箇所を巡回せずに、１箇所にて複数のフィールド機器の表示を読み取ることができる。フィールドバス３０が例えば,Foundation FieldbusやPROFIBUS、あるいは無線等のデジタル伝送路の場合、フィールド機器２１乃至２４から定期的に、例えばFoundation Fieldbusではpublisher/subscriber型の同期式通信により、PROFIBUSではData Exchange等の方式によって、フィールドバス３０に配布される情報を読み取ることで、各フィールド機器の測定データやアラーム情報を表示することができる.
【００１７】
また、例えばFoundation FieldbusのClient-Server機能や、PROFIBUSのMS2通信機能や、HARTのコマンドレスポンス型通信機能を外部指示計６０が備え、かつ、外部指示計６０にＤＤがインストールされている場合には、このＤＤ情報を基に、フィールド機器２１内示２４と１対１通信を行い、各フィールド機器の自己診断情報を表すパラメータにアクセスし、取得した情報とＤＤに記載された情報を照合することで、ＤＤに記載された文字列を各フィールド機器の自己診断結果として表示することができる。
【００１８】
図５の下部領域に、フィールド機器２１乃至２４の自己診断機能によって診断された機器の故障状態や、プロセス異常状態を、これらフィールド機器夫々の持つＬＣＤなどの内蔵指示計への表示する際の表示例ＡＬ１乃至ＡＬ７を示す。
【００１９】
表示例ＡＬ１、ＡＬ２は、夫々、差圧・圧力伝送器であるフィールド機器２１のセンサ部分の故障及び配管１０内の圧力値の測定範囲外の警報の、内蔵指示計への表示例を示しており、ERR.01, WRN.30等の文字と数値からなる記号によって表されている。
【００２０】
フィールド機器２１（PT100）にて、センサ部分の故障が単独で発生していればＡＬ１の表示のみを、あるいは、例えばセンサ部分の故障と配管１０内の圧力値の測定範囲外の警報が同時に発生していれば、ＡＬ１とＡＬ２を交互に表示することができる。ユーザーは、フィールド機器２１の取扱説明書を見て、この記号が表す故障ないし警報の内容と、対応策を知ることができる。
【００２１】
表示例ＡＬ３、ＡＬ４、ＡＬ５は、フィールド機器２１のメーカーとは別のメーカーから供給される差圧・圧力伝送器であるフィールド機器２２（PT200）の、センサ部分の故障、配管１０内の圧力値の測定範囲外の警報、及びゼロ点調整量範囲外の警報の内蔵指示計への表示例を示しており、夫々''F-01''-''Sensor''と''W-01 PV-Lim'', ''W-10 ZERO等の文字と数値からなる記号によって表されている。
【００２２】
表示例ＡＬ６は、温度伝送器であるフィールド機器２３（TT200）の、回路の故障時の内蔵指示計上の表示内容を示しており、''Alarm A/D Fail''という文字列で故障を示している。
【００２３】
表示例ＡＬ７は、無線式の差圧伝送器であるフィールド機器２４（PT400）の故障状態を示す画面であって、バッテリの残存量が少なく、将来のバッテリ交換を促すことを示すために、''AL.70'', ''low power''という文字列を表示している。
【００２４】
特許文献１には、プラントで発生したアラームを表示するアラーム表示装置が開示されている。
【先行技術文献】
【特許文献】
【００２５】
【特許文献１】特開平５−１７４２７４号公報
【発明の概要】
【発明が解決しようとする課題】
【００２６】
従来装置では次のような問題がある。
（１）表示例ＡＬ１乃至ＡＬ７に示すように、フィールド機器の自己診断結果の内蔵指示計の表示は様々である。これは、一つには、夫々のフィールド機器において、内蔵指示計に対する、例えば、筐体の大きさから来る表示面積の制限、危険領域での使用から来るエネルギー制限等の制約から、表示内容が大幅に制限されることや、その制限が機器毎に多少異なることによる。
【００２７】
例えば、フィールド機器２１がフィールド機器２２に比べて小型で安価な場合、フィールド機器２２が５〜６文字程度２行にわたって診断結果を表示できるのに対し、フィール機器２１は、５〜６文字程度１行しか表示できない場合がある。温度伝送器であるフィールド機器２３が、フィールド機器２１、２２に比べて比較的筐体が大きい場合には、表示内容は１０文字程度２行以上のものとなる場合もある。
【００２８】
（２）もう一つの問題は、フィールド機器の供給メーカー毎に故障ないし警報の表示の仕方が異なることである。例えばフィールド機器２１（PT100）では、表示例ＡＬ１において故障時''ERR''という記号を、表示例ＡＬ２においてプロセス異常等に''WRN''という記号を使っているのに対し、フィールド機器２１とは異なるメーカー製のフィールド機器２２（PT200）では、表示例ＡＬ３において故障時''F-''という記号を、プロセス異常等の場合には、''W-''という記号を使用おり、同一故障でもメーカー毎に表示内容が異なる。
【００２９】
機器管路ツール５０においても同様であって、インストールされているＤＤを基にした異常状態を示す文字列は、メーカーやフィールド機器によって異なった内容であることが多い。
【００３０】
外部指示計６０では、現場を巡回しフィールド機器２１乃至２４の指示を見て保全や巡視を行うユーザーにとっては、同じような内容の故障や警報の事象が発生しているにも係らず、フィールド機器毎ないし機器のメーカー毎に故障ないし警報の仕方が異なることは、故障の認知、対応をする上で煩雑かつ混乱しがちであって、作業の増大や誤判断のもとである。
【００３１】
近年、フィールド機器のインテリジェント化に伴い, フィールド機器から発報されるアラームの数は増大される一方で、''アラーム洪水''と呼ばれており、保全／巡視の作業も増大しがちである.
【００３２】
このように、フィールド機器毎、シールド機器のメーカー毎に故障ないし警報の仕方が異なることはユーザーにおいて問題となっており、 プロセス工業における国際的なユーザーアソシエーションであるNAMUR(NAMUR is an international user association of automation technology in process industries (http://www.namur.de/start.html)からは NAMUR recommend NE107というガイドラインにおいて、フィールド機器の警報の分類として次の４つのカテゴリーによる表示を推奨している。
【００３３】
（１）Failure: (故障によって出力が不正な状態)
【００３４】
（２）function check (設定異常ほか機器内の作業によって一時的に出力が不正な状態)
【００３５】
（３）Out of specification (周囲環境やプロセスなど仕様範囲外によって測定値に不確かさが含まれる状態)
【００３６】
（４）Maintenance required: (現時点での出力は正常だが,将来機能に制限がかかる可能性がある状態)
【００３７】
近年、開発され市場に投入されるフィールド機器には、このNAMURに対応したアラームのカテゴリーに従っているものもあるが、NAMURは法規制等の強制力を持つものではなく、メーカー間で必ずしも統一が取れていない。まして、すでに設置済みの膨大なフィールド機器に関しては、 このようなカテゴリーは適用されていない。
【００３８】
本発明の目的は、フィールド機器毎ないしフィールド機器のメーカー毎に故障や警報の表示の仕方が異なるフィールド機器からのアラーム情報を収集して、ユーザーが設定可能な故障や警報の表示を統一化できる外部指示計を実現することにある。
【課題を解決するための手段】
【００３９】
このような課題を達成するために、本発明は次の通りの構成になっている。
（１）アラームの表示形態が異なる複数のフィールド機器が接続されたフィールドバスを介して前記フィールド機器と通信し、夫々からのアラーム情報を収集して一括表示する外部指示計において、
前記フィールド機器に順次アクセスしてアラーム情報を収集するアラーム情報収集手段と、
前記複数フィールド機器のアラーム情報のデータ形式及びそのデータ形式に対する統一アラーム表示情報を保持する機器アラームデータベースと、
収集されたアラーム情報のデータ形式と前記機器アラームデータベースに保持されたデータ形式の一致を照合するアラーム照合手段と、
一致が照合されたアラームに対して統一アラーム表示情報を前記機器アラームデータベースより読み出して表示させる表示内容決定手段と、
を備え、
前記機器アラームデータベースは、前記統一アラーム表示情報として、上位概念の第１ラベル表示内容と、下位概念の第２ラベル表示内容を保持し、前記第１ラベル表示内容は、国際的ガイドライン推奨の表示に準拠する表示内容であり、前記第２ラベル表示内容は、ユーザー任意設定の表示内容であることを特徴とする外部指示計。
【００４０】
（２）前記第１ラベル表示内容の国際的ガイドライン推奨は、ＮＡＭＵＲ推奨の表示に準拠する表示内容であり、Ｆａｉｌｕｒｅ、ｆｕｎｃｔｉｏｎ  ｃｈｅｃｋ、Ｏｕｔ  ｏｆ  ｓｐｅｃｉｆｉｃａｔｉｏｎ、及びＭａｉｎｔｅｎａｎｃｅ  ｒｅｑｕｉｒｅｄのカテゴリーによる表示を推奨する、ことを特徴とする（１）に記載の外部指示計。
【００４２】
（３）前記フィールドバスに接続され、前記フィールド機器に対する演算パラメータをダウンロードして支援する機器管理ツール内に、前記機器アラームデータベースに対するメンテナンス機能を設けたことを特徴とする（１）または（２）に記載の外部指示計。
【００４３】
（４）前記機器管理ツールは、前記機器アラームデータベースの保持情報をアップロードして管理することを特徴とする（３）に記載の外部指示計。
【００４４】
（５）前記フィールド機器は、フィールドバス規格に準拠する機器であることを特徴とする（１）乃至（４）のいずれかに記載の外部指示計。
【発明の効果】
【００４５】
本発明の外部指示計によれば、次のような効果を期待することができる。
（１）フィールド機器毎ないしフィールド機器のメーカー毎によって、故障や警報の表示の仕方が異なるフィールド機器に対して、ユーザーが設定可能な、故障や警報の表示を統一化した表示機能を提供することができる。
【００４６】
（２）アラーム洪水が起きている現場にて、ユーザーの混乱や煩雑さを軽減し、容易に故障／警報の情報を分類／整理でき、その内容に応じた対応を正確に取ることができる。
【図面の簡単な説明】
【００４７】
【図１】本発明を適用した外部指示計の一実施例を示す機能ブロック図である。
【図２】機器アラームデータベースの構成例を示すテーブルである。
【図３】本発明外部指示計の動作手順を示すフローチャートである。
【図４】本発明外部指示計によるアラーム表示形態を説明する表示画面である。
【図５】従来の外部指示計によるアラーム表示形態を説明する機能ブロック図である。
【発明を実施するための形態】
【００４８】
以下本発明を、図面を用いて詳細に説明する。図１は、本発明を適用した外部指示計の一実施例を示す機能ブロック図である。図５で説明した従来構成と同一要素には同一符号を付して説明を省略する。
【００４９】
本発明が提供された外部指示計１００は、図５で示した外部指示計６０と同様に、フィールドバス３０に接続され、フィールド機器２１乃至２４、ホスト４０、機器管理ツール５０と通信する。
【００５０】
外部指示計１００は、アラーム情報収集手段１０１、統一アラーム表示部１０２、機器アラームデータベース１０３、表示手段１０４よりなる。統一アラーム表示部１０２は、アラーム照合手段１０５及び表示内容決定手段１０６の機能を備える。フィールド機器からプロセス値を受け取り表示する機能は、従来技術の外部指示計６０と同じである。
【００５１】
アラーム情報収集手段１０１は通信手段であって、フィールドバス３０に接続され、例えば、Foundation FieldbusやPROFIBUS等のデジタル信号を送受信する通信モデム等から構成され、統一アラーム表示部１０２からの指令により、フィールドバス３０に接続されている複数のフィールド機器に順次アクセスしてアラーム情報を収集する。
【００５２】
統一アラーム表示部１０２は、アラーム照合手段１０５、表示内容決定手段１０６よりなる。これらの機能は、マイクロプロセッサやRAM等から構成される。機器アラームデータベース１０３は、EEPROMやフラッシュROM等の書き換え可能な不揮発性メモリからなる。表示手段１０４は、LCD等から構成され、ユーザーにフィールド機器等から受け取ったプロセス値やアラーム情報を統一表示形態で表示する。
【００５３】
図２は、機器アラームデータベースの構成例を示すテーブルである。データＤ１は、アラーム表示対象のフィールド機器のアクセス順の番号、データＤ２は、表示対象であるフィールド機器を特定するための情報であって、ユーザーが選択した例えばFoundation FieldbusのPD-TAGやNode address, PROFIBUSのNode address等の情報を格納する。
【００５４】
データＤ３及びＤ４は、各フィールド機器のアラーム情報が備える固有のデータ形式である。データＤ３は、各フィールド機器毎に有する, アラーム情報を示すパラメータの番号やデータ型等であって、例えばFoundation FieldbusのIndex番号、data 型、 PROFIBUSの Slot及びIndex番号等アラーム情報を示すパラメータを特定するための情報である。
【００５５】
データＤ４は、アラームパラメータが取りうる有効な値を示す。各値が夫々アラーム情報の一つとして対応する。データＤ５及びデータＤ６は、表示手段１０４に表示する文字列データを示している。
【００５６】
データＤ１乃至Ｄ６の内容は、フィールドバス３０に接続された機器管理ツール５０によってユーザーが任意に追加／変更のメンテナンスが可能である。また、機器管理ツール５０は、機器アラームデータベース１０３の保持情報をアップロードして管理することができる。
【００５７】
データＤ３とＤ４のアラーム情報を示すパラメータとアラームパラメータが取りうる有効な値は、一般的にはフィールド機器の取扱説明書に記載されているものであって、これに従いユーザーが機器管理ツール５０を使って設定することができる。
【００５８】
データＤ５及びデータＤ６の表示文字列は、ユーザーによって任意に設定可能であって、表示手段１０４に表示したい文字列を、機器管理ツール５０を使って設定することができる。これらの文字列は、フィールド機器の取扱説明書や、NAMUR NE107の推奨の文字列等、ユーザー文化に応じた内容の文字列を設定することができる。
【００５９】
図２に例示したデータＤ５、Ｄ６の文字列は、統一アラーム表示情報として、上位概念の第１ラベル表示内容Ｄ５と、下位概念の第２ラベル表示内容Ｄ６よりなる。第１ラベル表示内容Ｄ５は、ＮＡＮＵＲ推奨の表示に準拠する表示内容であり、第２ラベル表示内容Ｄ６は、ユーザー任意設定の表示内容を示している。
【００６０】
図１に戻り、アラーム照合手段１０５は、アラームデータベース１０３に登録されている機器をデータＤ２、Ｄ３の情報をもとに、アラーム情報収集手段１０１の通信手段を介して所定の時間間隔で定期的にフィールドバス３０上のフィールド機器に対して、アラーム情報をもつパラメータのRead要求を送信し、 要求に応じたRead応答を受信する。
【００６１】
Read要求／Read応答の送受信は、アラーム情報収集手段１０１に実装された、例えばFoundation FieldbusのClient/Server通信機能やPROFIBUSの MS2 通信機能等を用いて実現することができる。
【００６２】
アラーム照合手段１０５は更に、受信したRead応答結果とデータＤ４のビット割付を照合し、有効なアラームがあるかを判定し、有効なアラームがあった場合には、表示内容決定手段１０６に 照合結果と表示要求を送る。
【００６３】
表示内容決定手段１０６は、アラーム照合手段１０５の照合結果と表示要求を受け取り、データＤ５，Ｄ６のラベル表示内容を機器アラームデータベース１０３から受け取り、表示内容決定手段１０６に送信する。
【００６４】
表示内容決定手段１０６は、機器アラームデータベース１０３から受け取ったデータＤ５，Ｄ６の文字列データ及びデータＤ１の機器情報をLCD等の表示手段１０４に送信して表示させる。
【００６５】
図３は、本発明外部指示計の動作手順を示すフローチャートであり、外部指示計１００がフィールド機器のアラーム情報を収集して表示手段１０４に表示するまでのフローを示している。
【００６６】
スタートステップＳ１は、外部指示計１００の電源オンやリセット時等に相当する。ステップＳ２において、統一アラーム表示部１０２は、機器アラームデータベース１０３にアクセスし、機器アラームデータベース１０３に登録されたアラーム情報の最大数Naを取得する。
【００６７】
統一アラーム表示部１０２の機器アラームデータベース１０３へのアクセスは、EEPROMやフラッシュROM等の書き換え可能な不揮発性メモリに逐次直接アクセスしてもよいし、ステップＳ２において、統一アラーム表示部１０２に内蔵されたRAMに機器アラームデータベース１０３の内容をすべてコピーし参照してもよい。
【００６８】
ステップＳ３では、アラーム表示カウンタNoを１に初期化し、機器アラームデータベース１０３に格納されたデータの先頭を指すようにする。ステップＳ４において、アラーム表示カウンタがNaより小さければステップＳ５へ、Na以上であれば表示するアラームはそれ以上存在しないか、または、機器アラームデータベース１０３に登録されたすべてのアラームを表示したので、ステップＳ３へ戻る。
【００６９】
ステップＳ５では、アラーム照合手段１０５は、機器アラームデータベース１０３の、アラーム表示カウンタNo行目の、データＤ２，Ｄ３で指定されたフィールド機器の指定されたパラメータをReadする。
【００７０】
ステップＳ６では、アラーム照合手段１０５は、ステップＳ５におけるRead結果と、データＤ４のアラームのビット割付を比較して有効データがあるかを確認し、表示内容決定手段１０６に有効データの有無とデータＤ４に記載された有効データを送る。
【００７１】
ステップＳ７では、表示内容決定手段１０６がアラーム照合手段１０５から有効データ有りを受け取った場合に、同様にアラーム照合手段１０５から受け取った有効データに従い、表示手段１０４に送信するラベル第１ラベル表示内容Ｄ５及び第２ラベル表示内容Ｄ６に記載された文字列を取得し、取得した文字列を表示手段１０４に送信してステップＳ８で表示を実現し、ステップＳ９に進む。
【００７２】
一方、表示内容決定手段１０６がアラーム照合手段１０５から有効データなしを受け取った場合に、ステップＳ９にスキップする。ステップＳ９では、アラーム表示カウンタを1つインクリメントし、ステップＳ４に戻る。
【００７３】
図４は、本発明外部指示計によるアラーム表示形態を説明する表示画面である。（Ａ）は、フィールド機器２１（PT100）からReadしたアラーム情報と図２の機器アラームデータベース１０３のNo.1との照合結果から、外部指示計１００が表示するフィールド機器２１機器のアラーム情報ＡＬ１´及びＡＬ２´であって、フィールド機器２１の表示器で表示されるアラーム表示情報ＡＬ１及びＡＬ２（図５参照）の表示内容を統一表示に置き換えたものである。
【００７４】
アラーム情報ＡＬ１´の第１行には、NAMUR NE107推奨である''F:Failure''という、第１ラベル表示内容Ｄ５から取得された文字列が表示されている。第２行には、データＤ１のタグ''PT100''が表示されている。
【００７５】
第３、第４行には、第２ラベル表示内容Ｄ６から取得された文字列''Sensor Fail''が表示されている。即ち、フィールド機器２１で表示されるアラーム表示内容ＡＬ１、ＡＬ２が、外部指示計１００ではＡＬ１´及びＡＬ２´と統一表示に置き換えて表示される。
【００７６】
同様に図４（Ｂ）は、フィールド機器２２（PT200）に表示されるアラーム表示内容ＡＬ３，ＡＬ４，ＡＬ５（図５参照）は、外部指示計１００ではＡＬ３´，ＡＬ４´，ＡＬ５´に置き換えて表示される。
【００７７】
同様に図４（Ｃ）は、フィールド機器２３（TT200）に表示されるアラーム表示内容ＡＬ６（図５参照）は、外部指示計１００においてＡＬ６´に置き換えて表示される。同様に図４（Ｄ）は、フィールド機器２４（PT400）に表示されるアラーム表示内容ＡＬ７（図５参照）は、外部指示計１００ではＡＬ７´と統一表示に置き換えて表示される。
【００７８】
複数の機器において複数のアラームが発生している場合には、外部指示計１００は、ＡＬ１´→ＡＬ２´→ＡＬ３´→ＡＬ４´→ＡＬ５´→ＡＬ６´→ＡＬ７´と、フィールド機器毎に交互表示を繰り返してもよいし、NAMUR NE107のようなアラームの前記カテゴリー（１）乃至（４）毎にＡＬ１´→ＡＬ３´→ＡＬ６´→ＡＬ４´→ＡＬ２´→ＡＬ４´→ＡＬ７´等と交互表示を繰り返してもよい。
【符号の説明】
【００７９】
２１、２２、２３、２４  フィールド機器
３０  フィールドバス
４０  ホスト
５０  機器管理ツール
１００  外部指示計
１０１  アラーム情報収集手段
１０２  統一アラーム表示部
１０３  機器アラームデータベース
１０４  表示手段
１０５  アラーム照合手段
１０６  表示内容決定手段
【図１】
0005472732.tif 000002
【図２】
0005472732.tif 000003
【図３】
0005472732.tif 000004
【図４】
0005472732.tif 000005
【図５】
0005472732.tif 000006